【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
超音波画像を生成するための方法であって、
少なくとも２０メガヘルツ（ＭＨｚ）の周波数で超音波を生成することと、
少なくとも２０ＭＨｚの周波数で超音波を被験体へ送信することと、
該被験体から超音波を受信することであって、該送信することと該受信することとが、一番目のスキャン線位置からｎ番目のスキャン線位置まで増加的に繰り返される、ことと、
それぞれのスキャン線位置において複数のスキャン線を生成することであって、それぞれのスキャン線が、ＥＣＧリズムの基準点から時間的にオフセットされている、ことと、
スキャン線ベースの画像再構成を用い、少なくとも一秒当り２００フレーム（ｆｐｓ）の有効フレームレートを有する画像を提供するように該受信された超音波を処理することであって、画像フレームを形成するために、該スキャン線ベースの画像再構成が、該スキャン線位置と、該基準点から時間的にオフセットされた点とに基づいて、該複数のスキャン線を集めることを包含する、ことと
を包含する、方法。
【請求項２】
およそ２０ＭＨｚ〜６０ＭＨｚの周波数範囲において超音波を生成することをさらに包含する、請求項１に記載の方法。
【請求項３】
迅速に動く組織の像を映すために、小動物上に前記超音波を用いることをさらに包含する、請求項１に記載の方法。
【請求項４】
前記小動物がマウスである、請求項３に記載の方法。
【請求項５】
血流の像を映すために、小動物上に前記超音波を用いることをさらに包含する、請求項１に記載の方法。
【請求項６】
前記小動物がマウスである、請求項５に記載の方法。
【請求項７】
前記ＥＣＧリズムに関連する前記基準点からオフセットされた選択時間において、前記複数の画像フレームを形成するために処理することを繰り返すことをさらに包含する、請求項１に記載の方法。
【請求項８】
前記ＥＣＧリズムに関連する連続の画像フレームを形成するために、前記複数の画像フレームを時間的に順序づけることをさらに包含する、請求項７に記載の方法。
【請求項９】
超音波画像を制作するためのシステムであって、
少なくとも２０メガヘルツ（ＭＨｚ）の周波数で超音波エネルギーを生成することが可能な変換器を有するスキャンヘッドと、
一番目のスキャン位置からｎ番目のスキャン位置まで超音波を増加的に送信するように構成されており、それぞれのスキャン位置において複数のスキャン線を生成するように構成されている送信サブシステムであって、それぞれのスキャン線が、ＥＣＧリズムの基準点から時間的にオフセットされている、送信サブシステムと、
超音波エネルギーを受信し、スキャン線ベースの画像再構成を用いて少なくとも一秒当り２００フレーム（ｆｐｓ）の有効フレームレートで超音波画像を生成するプロセッサであって、画像フレームを形成するために、該スキャン線位置と、該基準点から時間的にオフセットされた点とに基づいて、該複数のスキャン線を集めるようにさらに構成されているプロセッサと
を備える、システム。
【請求項１０】
およそ２０ＭＨｚ〜６０ＭＨｚの周波数範囲において前記超音波が発生する、請求項９に記載のシステム。
【請求項１１】
迅速に動く組織の像を映すために、前記超音波が小動物に対して実行される、請求項９に記載のシステム。
【請求項１２】
血流の像を映すために、前記超音波が小動物に対して実行される、請求項９に記載のシステム。
【請求項１３】
前記プロセッサが、前記ＥＣＧリズムに関連する前記基準点からの選択時間において、複数の画像フレームを生成するようにさらに構成されている、請求項１０に記載のシステム。
【請求項１４】
前記プロセッサが、前記ＥＣＧリズムに関連する前記複数の画像フレームを時間的に順序づけるようにさらに構成されている、請求項１３に記載のシステム。
【請求項１５】
超音波画像を生成するためのシステムであって、
少なくとも２０メガヘルツ（ＭＨｚ）の周波数で超音波を生成する手段と、
少なくとも２０ＭＨｚの周波数で超音波を被験体へ送信する手段と、
該被験体から超音波を受信する手段であって、該超音波を送信する手段と、該超音波を受信する手段とが、一番目のスキャン線位置からｎ番目のスキャン線位置まで増加的に繰り返される、手段と、
それぞれのスキャン線位置において複数のスキャン線を生成する手段であって、それぞれのスキャン線が、ＥＣＧリズムの基準点から時間的にオフセットされている、手段と、
スキャン線ベースの画像再構成を用い、少なくとも一秒当り２００フレーム（ｆｐｓ）の有効フレームレートを有する画像を提供するように該受信された超音波を処理する手段であって、画像フレームを形成するために、該スキャン線ベースの画像再構成が、該スキャン線位置と、該基準点から時間的にオフセットされた点とに基づいて、該複数のスキャン線を集める手段を備える、手段と
を備える、システム。
【請求項１６】
およそ２０ＭＨｚ〜６０ＭＨｚの周波数範囲において超音波を生成する手段をさらに備える、請求項１５に記載のシステム。
【請求項１７】
前記ＥＣＧリズムの前記基準点からオフセットされた選択時間において、複数の画像フレームを形成する手段をさらに備える、請求項１５に記載のシステム。
【請求項１８】
前記ＥＣＧリズムに関連する連続の画像フレームを形成するために、前記複数の画像フレームを時間的に順序づける手段をさらに備える、請求項１７に記載のシステム。
【請求項１９】
超音波画像を生成するための方法であって、該方法は、
２０メガヘルツ（ＭＨｚ）〜６０メガヘルツの周波数範囲で超音波を生成することと、
該超音波を小動物へ送信することと、
該小動物から該超音波を受信することであって、該送信することと該受信することとが、一番目のスキャン線位置からｎ番目のスキャン線位置まで増加的に繰り返される、ことと、
迅速に動く組織の像を映すために、スキャン線ベースの画像再構成を用い、少なくとも一秒当り２００フレーム（ｆｐｓ）の有効フレームレートを有する画像を提供するように該受信された超音波を処理することと
を包含し、
該処理することが、
それぞれのスキャン線位置において複数のスキャン線を生成することであって、それぞれのスキャン線が、ＥＣＧリズムの基準点から時間的にオフセットされている、ことと、
画像フレームを形成するために、該スキャン線位置と、該基準点から時間的にオフセットされた点とに基づいて、該複数のスキャン線を集めることと
をさらに包含する、方法。
【請求項２０】
超音波画像を生成するための方法であって、該方法は、
２０メガヘルツ（ＭＨｚ）〜６０メガヘルツの周波数範囲で超音波を生成することと、
該超音波を該小動物へ送信することと、
該小動物から超音波を受信することであって、該送信することと該受信することとが、一番目のスキャン線位置からｎ番目のスキャン線位置まで増加的に繰り返される、ことと、
血流の像を映すために、スキャン線ベースの画像再構成を用い、少なくとも一秒当り２００フレーム（ｆｐｓ）の有効フレームレートを有する画像を提供するように該受信された超音波を処理することと
を包含し、
該処理することが、
それぞれのスキャン線位置において複数のスキャン線を生成することであって、それぞれのスキャン線が、ＥＣＧリズムの基準点から時間的にオフセットされている、ことと、
画像フレームを形成するために、該スキャン線位置と、該基準点から時間的にオフセットされた点とに基づいて、該複数のスキャン線を集めることと
をさらに包含する、方法。
【請求項２１】
超音波画像を制作するためのシステムであって、
２０メガヘルツ（ＭＨｚ）〜６０メガヘルツの周波数範囲で超音波エネルギーを生成することが可能な変換器を有するスキャンヘッドと、
超音波エネルギーを受信し、スキャン線ベースの画像再構成を用いて少なくとも一秒当り２００フレーム（ｆｐｓ）の有効フレームレートで超音波画像を生成するプロセッサと、
一番目のスキャン線位置からｎ番目のスキャン線位置まで超音波を増加的に送信するように構成されており、それぞれのスキャン線位置において複数のスキャン線を生成するように構成されている送信サブシステムであって、それぞれのスキャン線が、ＥＣＧリズムの基準点から時間的にオフセットされている、サブシステムと、
画像フレームを形成するために、該スキャン線位置と、該基準点から時間的にオフセットされた点とに基づいて、該複数のスキャン線を集めるように構成されている画像再構成サブシステムと
を備える、システム。
【請求項２２】
超音波画像を生成するためのシステムであって、該システムは、
２０メガヘルツ（ＭＨｚ）から６０メガヘルツの周波数範囲で超音波を生成する手段と、
超音波を被験体へ送信する手段と、
該被験体から超音波を受信する手段であって、該超音波を送信する手段と、該超音波を受信する手段とが、一番目のスキャン線位置からｎ番目のスキャン線位置まで増加的に繰り返される、手段と、
スキャン線ベースの画像再構成を用いて、少なくとも一秒当り２００フレーム（ｆｐｓ）の有効フレームレートを有する画像を提供するように該受信された超音波を処理する手段と
を備え、
該処理する手段が、
それぞれのスキャン線位置において複数のスキャン線を生成する手段であって、それぞれのスキャン線が、ＥＣＧリズムの基準点から時間的にオフセットされている、手段と、
画像フレームを形成するために、該スキャン線位置と、該基準点から時間的にオフセットされた点とに基づいて、該複数のスキャン線を集める手段と
を備える、システム。
【請求項２３】
前記画像再構成サブシステムが、前記ＥＣＧリズムに関連する前記基準点からオフセットされた選択時間において、複数の画像フレームを形成するようにさらに構成されている、請求項２１に記載のシステム。
【請求項２４】
前記画像再構成サブシステムが、前記ＥＣＧリズムに関連する連続の画像フレームを形成するために、前記複数の画像フレームを時間的に順序づけるようにさらに構成されている、請求項２３に記載のシステム。
【請求項２５】
前記ＥＣＧリズムに関連する前記基準点からオフセットされた選択時間において、複数の画像フレームを形成する手段をさらに備える、請求項２２に記載のシステム。
【請求項２６】
前記ＥＣＧリズムに関連する連続の画像フレームを形成するために、前記複数の画像フレームを時間的に順序づける手段をさらに備える、請求項２５に記載のシステム。